(57)【要約】【課題】  高画質のデジタル信号接続でテレビ受像機と接続しながら，機器特有の各種撮影情報を高い自由度でテレビ受像機に表示可能であり，のかつ回路規模の小さい撮像装置を提供すること。【解決手段】  被写体を撮像し映像信号に変換する撮像部と，映像信号を映像パケット化して記録媒体に書き込む記録部と，前記記録媒体から映像パケットを読み出す再生部とを有する撮像装置であって，前記再生部が読み出した映像パケットを受け取り該映像パケットに関連するデータパケットを生成するパケット生成部と，前記映像パケットとデータパケットを多重して出力する多重化部とを有する構成。【選択図】  図１
2006340146.tif 000002
【特許請求の範囲】
【請求項１】
被写体を撮像し映像信号に変換する撮像部と，映像信号を高能率符号化する符号化部と，該符号列を映像パケット化して記録媒体に書き込む記録再生部とを有する撮像装置であって，映像パケットに関連するデータパケットを生成するパケット生成部と，前記映像パケットと前記データパケットを多重して出力する多重化部とを有することを特徴とする装置。
【請求項２】
請求項１に記載の装置であって，映像パケットのパケット長とデータパケットのパケット長が同一であることを特徴とする装置。
【請求項３】
請求項１および２に記載の装置であって，データパケットがマークアップ言語で記述されたデータを含むことを特徴とする装置。
【請求項４】
請求項１〜３に記載の装置であって，データパケットが画像データを含むことを特徴とする装置。
【請求項５】
請求項１〜４に記載の装置であって，多重化部において映像パケットとデータパケットが同一番組に属することを示す関連付けテーブルを生成し，前記パケットと共に多重して出力することを特徴とする装置。
【請求項６】
請求項１〜５に記載の装置であって，前記データパケットが，所定時間の間隔で繰り返し生成されることを特徴とする装置。
【請求項７】
請求項１〜６に記載の装置であって，前記生成されるデータパケットが，前記映像パケットのタイムコードを示すデータを含むことを特徴とする装置。
【請求項８】
請求項１〜６に記載の装置であって，前記生成されるデータパケットが，前記映像パケットの記録モードを示すデータを含むことを特徴とする装置。
【請求項９】
請求項１〜６に記載の装置であって，前記生成されるデータパケットが，前記映像パケットが記録されている記録媒体の残量を示すデータを含むことを特徴とする装置。
【請求項１０】
請求項１〜６に記載の装置であって，前記生成されるデータパケットが，前記映像パケットの撮影日時を示すデータを含むことを特徴とする装置。
【請求項１１】
請求項１〜６に記載の装置であって，前記生成されるデータパケットが，前記映像パケットの前後に撮影された動画クリップの代表シーンを示す画像データを含むことを特徴とする装置。
【請求項１２】
請求項１〜６に記載の装置であって，前記生成されるデータパケットが，前記映像パケットの前後および同時に撮影された静止画データを含むことを特徴とする装置。
【発明の詳細な説明】
【技術分野】
【０００１】
本発明は，映像を撮影する撮像装置に関するものである。
【背景技術】
【０００２】
近年，デジタル信号処理技術の進歩により，動画像や静止画像，音声等，大量のデジタル情報を高能率符号化し，小型磁気媒体への記録や通信媒体への伝送を行なうことが可能となっている。このような技術を応用し，容易に高品位な映像を撮影して即座に情報媒体へ出力できる撮像装置の開発が行われている。
【０００３】
更に昨今，テレビ放送のデジタル化の影響を受け，テレビ受像機にもデジタル化が進み，撮像装置とテレビ受像機をデジタル信号で接続し，高品質に映像の記録再生を行ったり，撮像装置とテレビ受像機とを高度に連携操作することへの要求が高まっている。
【０００４】
又、従来例としては、例えば特許文献１と特許文献２をあげることが出来る。
【特許文献１】特開２００３−９０９７号公報
【特許文献２】特開２００４−３１２６８５号公報
【発明の開示】
【発明が解決しようとする課題】
【０００５】
各種映像機器間のデジタル信号接続には，ＩＥＥＥ１３９４規格による接続が広く普及している。撮像装置とテレビ受像機の接続にも，ＩＥＥＥ１３９４を用いることが現実的でかつ有効な方法と考えられる。また，既存のデジタルＶＴＲが採用しているように，授受するデジタル信号にはＭＰＥＧ等に代表される高能率符号列を用い，テレビ受像機側で復号し表示する方法が一般的と言える。こうした符号列によるデジタル信号の授受は，比較的低いレートでの転送となるため，画質の劣化や欠落が起きにくいうえ，小規模で安価な回路で実現できる。
【０００６】
しかしながら，こうした接続方法では，タイムコードや撮影日時など各種撮影情報の合成表示において，アナログ信号接続でおこなっていたような，撮像装置が撮影情報を映像に合成した状態でテレビ受像機に出力する方法が困難である。こうした旧来の方法を用いるには，一旦撮像装置が符号列を復号化したうえで撮影情報を合成し，再度符号化して出力する必要があった。こうした構成では，復号化と再符号化が余分に必要となるため，画質に劣化が生じやすく，また回路規模も非常に大きくなるという欠点を持っていた。
【０００７】
また，テレビ受像機から撮像装置に対して，撮影情報を問い合わせる処理を行い，テレビ受像機によって情報を合成する構成も従来技術であるが，この方法では，表示内容や表示形式がテレビ受像機側によって限定されるため，撮像装置特有の情報を表示することに制限があった。
【０００８】
こうした背景において本発明の目的は，高画質のデジタル信号接続でテレビ受像機と接続しながら，機器特有の各種撮影情報を高い自由度でテレビ受像機に表示可能であり，なおかつ回路規模の小さい撮像装置を提供することである。
【課題を解決するための手段】
【０００９】
上述の目的を達成するため，本発明における撮像装置は，被写体を撮像し映像信号に変換する撮像部と，映像信号を映像パケット化して記録媒体に書き込む記録部と，前記記録媒体から映像パケットを読み出す再生部とを有する撮像装置であって，前記再生部が読み出した映像パケットを受け取り該映像パケットに関連するデータパケットを生成するパケット生成部と，前記映像パケットとデータパケットを多重して出力する多重化部とを有する構成とした。
【００１０】
本発明の構成は，現在急速に普及し始めているデジタル放送対応のテレビ受像機を接続対象とし，ほとんどのデジタル放送対応テレビ受像機に装備されているデータ放送受信機能を利用することで，容易に上述の目的を達成するものである。すなわち，撮影情報をデータ放送形式のデータパケット化し，映像と多重してテレビ受像機に供給することで，データ放送の多彩なコンテンツ表示方法を採り入れた様々な形式でテレビ受像機に表示させることができる。
【００１１】
データパケットはＢＭＬ，ＸＭＬ，ＨＴＭＬなどのマークアップ言語と，ＪＰＥＧやＰＮＧなどの画像データで規格化されており，単純なデータ形式でありながら，その表現性は極めて高く，機器特有の各種撮影情報を高い自由度でテレビ受像機に表示可能で，なおかつ回路規模の小さい撮像装置を実現することができる。
【発明の効果】
【００１２】
以上説明したように，本発明における撮像装置は，被写体を撮像し映像信号に変換する撮像部と，映像信号を映像パケット化して記録媒体に書き込む記録部と，前記記録媒体から映像パケットを読み出す再生部とを有する撮像装置であって，前記再生部が読み出した映像パケットを受け取り該映像パケットに関連するデータパケットを生成するパケット生成部と，前記映像パケットとデータパケットを多重して出力する多重化部とを有する構成とした。
【００１３】
本発明の構成は，現在急速に普及し始めているデジタル放送対応のテレビ受像機を接続対象とし，ほとんどのデジタル放送対応テレビ受像機に装備されているデータ放送受信機能を利用することで，容易に上述の目的を達成するものである。すなわち，撮影情報をデータ放送形式のデータパケット化し，映像と多重してテレビ受像機に供給することで，データ放送の多彩なコンテンツ表示方法を採り入れた様々な形式でテレビ受像機に表示させることができる。
【００１４】
データパケットはＢＭＬ，ＸＭＬ，ＨＴＭＬなどのマークアップ言語と，ＪＰＥＧやＰＮＧなどの画像データで規格化されており，単純なデータ形式でありながら，その表現性は極めて高く，機器特有の各種撮影情報を高い自由度でテレビ受像機に表示可能で，なおかつ回路規模の小さい撮像装置を実現することができる。
【発明を実施するための最良の形態】
【００１５】
以下，本発明の実施例について図面を参照して説明する。
【００１６】
図１は本発明による撮像装置の第一の構成例を示す図である。
【００１７】
図１において，破線内が本発明の範疇で，１０１は撮像部，１０２は符号化部，１０３は記録再生部，１０４は記録媒体，１０５はパケット生成部，１０６は多重部である。破線外の受像装置は既存のデジタル放送対応テレビ受像機である。
【００１８】
撮像部１０１は被写体を撮像し映像信号を符号化部１０２に供給する。符号化部１０２は映像信号を高能率符号化し記録再生部１０３に供給する，記録再生部は高能率符号列を固定長のパケットに分割してから記録媒体１０４に記録する。図２は本構成例によって記録されるパケット列の例を示す図である。図に示すように，本構成例では高能率符号化にＭＰＥＧを使用し，映像と音声と番組テーブルをそれぞれ１８８バイトのパケットに分割している。各パケットにはパケットを識別するためのパケットＩＤが符号列と共に格納されている。パケットＩＤとパケット種別の対応が番組テーブルパケットによって定義され，個々のパケット種別の判別やパケット群を番組別に分類することが，パケットＩＤを調べることで可能となっている。
【００１９】
再生時において記録再生部１０３は，記録媒体１０４からパケット列を読み出し，パケット列を取り出しパケット生成部１０５および多重化部１０６に供給する。パケット生成部は供給されるパケット列から，タイムコードや撮影日時，記録モードなどの撮影情報を表示するためのデータパケットを生成し多重化部に供給する。多重化部１０６は記録再生部から供給されるパケット列とパケット生成部から供給されるデータパケット列とを多重化し外部の受像装置へ出力する。図３は本構成例によって出力されるパケット列の例を示す図である。図に示すように，本構成例では映像や音声と同じパケット長が同一のデータパケットを多重している。また，データパケットの内容も図示しているように代表的なマークアップ言語のＨＴＭＬにより記述されている。このデータパケットと映像パケットおよび音声パケットとは，図中の番組テーブルによって関連付けされる。前記多重化部が，前記データパケットを識別するパケットＩＤを番組テーブルパケットに追加して出力する。
【００２０】
なお，前記パケット生成部は前記記録再生部より記録媒体の残量情報や，再生中の映像パケットの前後に撮影された動画クリップの代表シーンを示す画像データ，更には，再生中の動画パケットの前後および同時に撮影された静止画データを取得し，それらをデータパケット化して前記多重化部へ供給することも本発明の範疇である。
【００２１】
図４は本構成例の出力をデジタル放送対応テレビ受像機で表示した例を示す図である。図において４０１はデータ放送領域，４０２は映像領域，更に，データ放送領域内において４０３は撮影情報，４０４は前後の動画代表シーン，４０５は前後に撮影した静止画一覧を示す。このような，様々な情報を使用者に分かりやすく並べて表示させることは，前述のマークアップ言語を用いることで，容易に実現できる。また，イラストや絵文字，スクリプトなどを使用して，撮像装置特有の情報表示を実現することも可能である。こうしたイラストや絵文字，スクリプトなどのデータは受像装置によって蓄積されて利用され得るが，撮像装置の操作には早送りや巻戻しなど，断続的な特殊操作が発生するため，本発明では，所定時間の間隔でこれら多様されるデータのパケットを繰り返し生成する構成とした。
【００２２】
なお，実施例では，撮像装置と再生装置について説明したが，同様な処理を行う処理方法や，同様な処理工程を含む，コンピュータで読み込み可能なプログラムを格納した記憶媒体であってもまた本発明の範疇である。
【図面の簡単な説明】
【００２３】
【図１】本発明の構成例を示す図である。
【図２】本発明による記録のデータ構造を示す図である。
【図３】本発明による出力のデータ構造を示す図である。
【図４】本発明による出力を受像装置に表示する例を示す図である。
【符号の説明】
【００２４】
１０１  撮像部
１０２  符号化部
１０３  記録再生部
１０４  記録媒体
１０５  パケット生成部
１０６  多重化部
【図１】
2006340146.tif 000003
【図２】
2006340146.tif 000004
【図３】
2006340146.tif 000005
【図４】
2006340146.tif 000006